【手続補正書】
【提出日】平成18年6月23日(2006.6.23)
【手続補正１】
【補正対象書類名】明細書
【補正対象項目名】００９２
【補正方法】変更
【補正の内容】
【００９２】
（表１）
Ｌ＝９９７．８４ｍｍ
β＝１／４
ＮＡ＝０．８０
｜β１／ＮＡＯ｜＝５．２９
｜β１・βｆ／ＮＡＯ｜＝７．６５
｜β１｜＝１．０５７
ａ／ｂ＝０．０５３８
ｂ／ｃ＝０．４７９
第１の物体〜第１面までの距離：４１．１５３１２ｍｍ
i        ri            di        硝材
1     395.97465     20.22118     caf2
2   -2898.20269     44.71464           
3    -251.61654     42.00000     caf2
4    -231.04782    286.07966           
5   -1822.70249     28.34838     caf2
6     256.11745     10.06127           
7     254.50945     35.66908     caf2
8   -2557.13314    103.60600           
9    -180.38280     20.31823     caf2
10    -468.06841     10.69468           
11    -339.05921     21.00642     caf2
12   -1135.87333     33.83254           
13    -278.56064    -33.83254                  M1
14   -1135.87333    -21.00642     caf2
15    -339.05921    -10.69468           
16    -468.06841    -20.31823     caf2
17    -180.38280   -103.60600           
18   -2557.13314    -35.66908     caf2
19     254.50945    -10.06127           
20     256.11745    -28.34838     caf2
21   -1822.70249   -268.88082           
22       0.00000    162.32865                  FM1
23     412.14379     44.81415    caf2
24    -514.47810     24.63586           
25    -350.11325     33.47520     caf2
26    -254.60012    219.66548           
27       0.00000   -199.95918                  FM2
28     514.92997    -23.66212     caf2
29     255.35596    -13.37135           
30     338.01319    -15.04140     caf2
31     -459.91711    -1.01570           
32    -258.57016    -34.83108     caf2
33    -457.51166    -71.87340           
34    -223.68365    -47.54530     caf2
35     751.85440    -22.60074           
36     268.47191    -23.38703      caf2
37   -1165.25792    -16.20487           
38    -386.40525    -20.33655      caf2
39    -466.36508    -12.77442           
40    -370.27173    -63.27240      caf2
41     232.77226     23.91356           
42       0.00000    -42.90082                  開口絞り
43    1148.49808    -68.29475      caf2
44     568.06929     -1.01683           
45    -219.12809    -49.17786      caf2
46    1682.72634     -1.01683           
47    -514.87058     -21.29114     caf2
48  -39003.71488      -2.51668           
49    -616.56989     -17.52530     caf2
50     -3.5e+005      -1.83409           
51    -910.87500     -24.55409     caf2
52  -11464.91757      -1.01683           
53    -209.21733     -49.49135     caf2
54       0.00000      -9.95147           
非球面係数
i      K                 A               B                    C
1   0.67157400   -3.12148340e-009   1.24961887e-013   -1.07206311e-017 
6  -0.26422545   -4.07630359e-009  -3.74292072e-013   -1.46846516e-017 
10  -0.04052878   -5.40216034e-009   1.46578961e-013    6.53664151e-020 
16  -0.04052878   -5.40216034e-009   1.46578961e-013    6.53664151e-020 
20  -0.26422545   -4.07630359e-009  -3.74292072e-013   -1.46846516e-017 
23  -0.06868808   -1.05721576e-008  -4.79962790e-014    4.74439039e-019 
25   1.04273198   -4.70121479e-009   1.07389747e-013    1.24811271e-018 
32  -1.01492628   -1.96968709e-008   2.44323828e-013   -4.76571749e-018 
34  -0.45182630    2.12897818e-008   2.93116566e-013    1.54392512e-017 
39  -1.99465650   -3.89130899e-008   5.64229062e-013    7.10821780e-018 
41  -1.09917187   -1.56104003e-008   6.72159485e-013   -3.21066701e-017 
47   1.46551924    5.88942104e-008   3.79528671e-012   -2.62771281e-016 
51  -2.04763264   -6.93796147e-008  -3.23034550e-012    8.79032313e-016 
53  -0.58689189   -4.47928864e-008   1.18331479e-013   -2.99578474e-016 
i       D                 E               F                    G
1  3.02396381e-021  -4.17118053e-025  2.78125431e-029  -6.44187470e-034 
6  2.12902413e-021  -2.81497785e-025  1.50694792e-029  -3.53816272e-034 
10  2.55935824e-022  -2.01752638e-027 -4.05301590e-031   2.49240398e-035 
16  2.55935824e-022  -2.01752638e-027 -4.05301590e-031   2.49240398e-035 
20  2.12902413e-021  -2.81497785e-025  1.50694792e-029  -3.53816272e-034 
23 -8.39315466e-022   4.89327799e-026 -1.86906734e-030  -1.91328722e-036 
25  3.43732001e-022  -7.17783414e-028 -2.94948641e-031   3.96862254e-035 
32 -5.04835667e-022   6.49443358e-026 -3.00384245e-030   6.50850163e-035 
34  4.13121834e-022  -3.42060737e-026  3.13448029e-030  -1.26160384e-034 
39  3.92603930e-022  -8.05151085e-026  2.70060158e-030  -5.33417169e-035 
41  1.37582551e-021  -5.72809395e-026  1.81888057e-030  -1.90531697e-035 
47 -1.60589201e-020   2.16600278e-024 -9.01334418e-029   1.30281885e-033 
51  -4.52726701e-020  5.98777721e-024  -4.25816067e-028  1.53629738e-032 
53  -2.91098686e-019  7.52634824e-023  -1.41750767e-026  8.34861881e-031 
【手続補正２】
【補正対象書類名】明細書
【補正対象項目名】０１０７
【補正方法】変更
【補正の内容】
【０１０７】
（表２）
Ｌ＝１０５１．５９ｍｍ
β＝１／４
ＮＡ＝０．８０
｜β１／ＮＡＯ｜＝６．１１
｜β１・βｆ／ＮＡＯ｜＝８．１５
｜β１｜＝１．２２２
ａ／ｂ＝０．０００８８
ｂ／ｃ＝０．４７０
第１の物体〜第１面までの距離：６９．８７４２６ｍｍ
i          ri         di          硝材
1    668.40243     20.22118      caf2
2    -909.99969     20.15953           
3    -278.78157     41.82957     caf2
4    -226.53067    306.96914           
5   -9013.50255     21.17315     caf2
6     227.11071     14.30268           
7     252.59236     32.41133     caf2
8    3060.02052     91.62181           
9    -251.66991     20.06219     caf2
10    -657.64908     16.70481           
11    -298.52631     20.01564     caf2
12   -1155.92042     27.46979           
13    -277.46695    -27.46979                  M1
14   -1155.92042    -20.01564     caf2
15    -298.52631    -16.70481           
16    -657.64908    -20.06219     caf2
17    -251.66991    -91.62181           
18   3060.02052    -32.41133      caf2
19    252.59236    -14.30268           
20    227.11071    -21.17315      caf2
21  -9013.50255   -292.82106           
22      0.00000    144.98564                  FM1
23    504.78955     42.62735      caf2
24    -475.98929    158.10011      
25    -803.47768     40.00000     caf2
26    -340.39441     99.24315           
27       0.00000   -200.01742                  FM2
28     627.21306    -24.57765     caf2
29     275.15619     -2.32909           
30     434.05214    -17.83341     caf2
31    -685.95720     -1.00000           
32    -266.06165    -40.00000     caf2
33    -236.39777    -98.47464           
34    -201.23101    -52.61738     caf2
35    998.68752     -20.80028           
36    428.05968     -23.38703     caf2
37    -330.13594    -34.04513           
38    -398.32107    -20.33655     caf2
39   -1741.28350    -24.68386           
40    -465.91801    -68.95155     caf2
41    214.11384      28.60841           
42      0.00000     -46.19472                  開口絞り
43   2389.68736    -67.41845     caf2
44    666.87372     -1.01683           
45    -213.66192    -44.46924     caf2
46    954.85885      -1.01683           
47    -795.17615    -20.28664     caf2
48    -550.11819     -3.06249           
49    -349.24693    -17.50613     caf2
50  -16687.89701     -2.30561           
51    -925.70468    -24.79031     caf2
52  -47751.77910     -1.01683           
53    -190.68875    -45.82729     caf2
54       0.00000    -9.99596           
非球面係数
i        K             A              B                     C 
1  1.84472719   -4.28737069e-009  -4.41427710e-014   8.11274173e-018 
6 -0.27189589   -4.22360534e-009  -3.66149757e-013  -5.21688557e-018 
10  0.49938484   -6.02516745e-009   1.48782891e-013   9.03391986e-019 
16  0.49938484   -6.02516745e-009   1.48782891e-013   9.03391986e-019 
20 -0.27189589   -4.22360534e-009  -3.66149757e-013  -5.21688557e-018 
23  0.79344720   -9.58055891e-009  -1.44694100e-013   1.99136296e-017 
25  0.38159869   -7.27012352e-009   7.67976427e-014  -2.01234702e-019 
32 -0.46697051   -2.04044049e-008   3.74018192e-013  -1.16647192e-017 
34 -0.53480624    2.26188296e-008   2.79329047e-013   1.85357176e-017 
39  -1.08351559   -3.95543216e-008   2.30977379e-013   9.83209623e-018 
41  -0.95966217   -1.45575701e-008   7.81477775e-013  -3.03683767e-017 
47  -0.95442908    5.47250405e-008   4.34318997e-012  -2.78298594e-016 
51  -1.96075510   -9.49376715e-008  -3.00111451e-012   5.98641043e-016 
53  -1.17537128   -1.33444944e-008   4.64806503e-012  -2.23525496e-016 
i        D                E                 F                 G 
1  -2.07377580e-021  2.14738504e-025  -1.19376730e-029  3.39039856e-034 
6   1.44705561e-021 -1.96777906e-025   1.14310793e-029 -2.72077599e-034 
10  -3.13004905e-024  2.20935958e-026  -1.66002358e-030  5.39928337e-035 
16  -3.13004905e-024  2.20935958e-026  -1.66002358e-030  5.39928337e-035 
20   1.44705561e-021 -1.96777906e-025   1.14310793e-029 -2.72077599e-034 
23  -1.84064584e-021  1.07963092e-025  -3.78934188e-030  5.69453371e-035 
25   9.84789574e-023 -7.73186611e-027   2.70919906e-031 -5.25476041e-036 
32   3.68781098e-022  7.76457500e-028  -3.63007208e-031  1.53597787e-035 
34   2.89666734e-022 -2.25156851e-026   2.54901422e-030 -1.14638254e-034 
39   1.67679893e-022 -2.86823967e-026  -6.87337289e-031  9.61735989e-036 
41   1.39961175e-021 -5.53226831e-026   1.81465248e-030 -2.39708052e-035 
47  -1.07107681e-020  1.28989008e-024  -2.57193395e-029 -6.39379334e-034 
51  -2.74686808e-020  7.84557981e-024  -8.32541969e-028  6.57146205e-032 
53  -2.70340899e-019  1.28545363e-023  -1.76779835e-027 -1.06366211e-030 
【手続補正３】
【補正対象書類名】明細書
【補正対象項目名】０１２２
【補正方法】変更
【補正の内容】
【０１２２】
（表３）
Ｌ＝９８３．４０ｍｍ
β＝１／４
ＮＡ＝０．８０
｜β１／ＮＡＯ｜＝５．１３
｜β１・βｆ／ＮＡＯ｜＝８．２５
｜β１｜＝１．０２５
ａ／ｂ＝０．０４５５
ｂ／ｃ＝０．５１８
第１の物体〜第１面までの距離：４０．１３４０３ｍｍ
i           ri        di           硝材
1     260.11007     20.22118      caf2
2     883.38340     28.09241           
3    -591.69377     15.01918      caf2
4    -368.85812    275.56936           
5    -637.38698     17.50000      caf2
6     247.67865     10.07938           
7     235.57254     26.31032      caf2
8    3135.07017     78.00000           
9    -197.51950     20.09812      caf2
10    -356.26642     10.74741           
11    -321.57746     20.31945      caf2
12   -1046.94074     32.68661           
13     -269.59967   -32.68661                  M1
14   -1046.94074    -20.31945      caf2
15    -321.57746    -10.74741           
16    -356.26642    -20.09812      caf2
17    -197.51950    -78.00000           
18    3135.07017    -26.31032      caf2
19     235.57254    -10.07938           
20     247.67865    -17.50000      caf2
21    -637.38698   -235.06352           
22       0.00000   154.78510                  FM1
23     412.53248    53.86090      caf2
24     -454.52997    71.16043           
25     -247.59332    27.54356     caf2
26     -183.91506   181.23623           
27       0.00000   -210.98345                  FM2
28    3767.23604    -39.78178     caf2
29     277.50559     -3.63851           
30     292.85727    -29.63790     caf2
31     -458.45291    -1.33883           
32     -246.79815   -39.85383     caf2
33     -311.59024   -68.58748           
34     -235.53718   -52.59735     caf2
35     467.79877    -16.47474           
36     245.94544    -23.38703     caf2
37    -2118.42723     -7.42790           
38     -493.38965    -20.33655    caf2
39     -516.74517    -17.40457           
40       0.00000     7.00000                  開口絞り
41    -316.79913    -70.00000     caf2
42     273.85870     -1.51310           
43    6275.38113    -69.81106     caf2
44     449.01624     -1.01683           
45    -286.22645    -48.61231     caf2
46   -3757.65238     -1.01683           
47    -300.84255    -21.04400     caf2
48   -1531.14490     -1.21708           
49    -447.05091    -17.57713     caf2
50    -913.33797     -3.39970           
51    -417.01084    -21.41824     caf2
52  -42099.53696     -1.01683           
53    -233.68723    -47.62945     caf2
54       0.00000     -9.70059           
非球面係数
i        K              A                 B                 C 
1   0.49697074  -2.67716672e-009   -1.74309788e-013   -2.09170434e-017 
6   1.41328830   2.07799210e-009   -4.26185978e-013   -1.25267670e-017 
10   0.46617565  -6.84466829e-009    4.50692462e-014    1.72893414e-018 
16   0.46617565  -6.84466829e-009    4.50692462e-014    1.72893414e-018 
20   1.41328830   2.07799210e-009   -4.26185978e-013   -1.25267670e-017 
23  -1.99692838  -1.46408021e-008    1.07386812e-013   -6.57916448e-018 
25   0.94768025  -6.48013865e-009    1.29506074e-013    4.41070720e-018 
32  -0.53069421  -2.29496734e-008    1.46540612e-013   -9.48243024e-018 
34  -0.58592559   2.27047629e-008    3.72962833e-013    1.78675689e-017 
39  -1.99829606  -4.02933770e-008    2.28490744e-013    7.09139430e-018 
42  -0.94509911  -1.45135015e-008    7.57078652e-013   -3.77421659e-017 
47  -0.10298455   5.88225502e-008    3.64981480e-012   -2.36226284e-016 
51   1.94997831  -8.00801793e-008   -2.73886338e-012    1.03434118e-015 
53   1.64235579  -5.98172801e-008    1.56058112e-014   -1.19221610e-015 
i         D               E                F                 G
1  5.18497263e-021  -3.60189028e-025  -2.65126620e-030  8.30507568e-034 
6  1.97675878e-021  -4.91077476e-025   3.61319930e-029 -1.06824258e-033 
10  9.58499269e-023   1.84965678e-026  -1.35380227e-030  8.38070131e-035 
16  9.58499269e-023  1.84965678e-026  -1.35380227e-030  8.38070131e-035 
20  1.97675878e-021 -4.91077476e-025   3.61319930e-029 -1.06824258e-033 
23 -9.13728385e-022  6.08826931e-026  -1.87726545e-030 -1.11307008e-035 
25  1.23647754e-022  5.82476981e-027  -5.35142438e-032  1.80315832e-035 
32 -6.38425458e-023  2.33580442e-026  -1.42562786e-030  3.23706771e-035 
34  4.66470849e-022 -3.26187824e-026   2.87894208e-030 -1.29130160e-034 
39  1.77831564e-022 -9.56219011e-026   2.37030856e-030 -3.53254917e-035 
42  1.72360268e-021 -5.67160176e-026   2.05866748e-030 -4.37198713e-035 
47 -1.97220610e-020  2.18183279e-024  -1.06203934e-028  3.10574248e-033 
51 -8.68250406e-021  2.25723562e-024   3.04027040e-028 -7.08468501e-032 
53 -1.80303110e-019  6.84072538e-023  -1.99950230e-026  2.10385493e-030 
【手続補正４】
【補正対象書類名】明細書
【補正対象項目名】０１３８
【補正方法】変更
【補正の内容】
【０１３８】
（表４）
Ｌ＝９１５．４４ｍｍ
β＝１／４
ＮＡ＝０．９０
｜β１／ＮＡＯ｜＝５．１６
｜β１・βｆ／ＮＡＯ｜＝６．９０
｜β１｜＝１．１６２
ａ／ｂ＝０．０２５３
ｂ／ｃ＝０．４９８
第１の物体〜第１面までの距離：４１．８４２９６ｍｍ
i          ri         di           硝材
1     251.59420    20.22118       sio2
2     243.48822     9.84632           
3     358.30042    41.97093       sio2
4    -826.58003   186.17213           
5     329.32922    40.00000       sio2
6     143.12035    12.09278           
7     185.32312    33.31445       sio2
8     608.10743    78.73433           
9    -184.71011    20.00249       sio2
10    -920.52825    18.20389           
11    -315.68485    20.04265       sio2
12    -456.66387    47.02968           
13    -279.88964   -47.02968                  M1
14    -456.66387   -20.04265       sio2
15    -315.68485   -18.20389           
16    -920.52825   -20.00249       sio2
17    -184.71011   -78.73433           
18     608.10743   -33.31445       sio2
19     185.32312   -12.09278           
20     143.12035   -40.00000       sio2
21     329.32922  -172.02999           
22       0.00000   188.25827                  FM1
23     473.33384    34.33669       sio2
24    -739.09171     1.01738           
25     731.11616    48.81832       sio2'    
26   -1563.77042   258.82118           
27       0.00000  -182.46588                  FM2
28    -240.94433   -34.30165       sio2
29   -1065.13094   -26.47287           
30     521.68433   -19.11929       sio2
31    -217.81409   -36.69391           
32    -197.66602   -26.16167       sio2
33    -301.60112   -73.74535           
34    -213.68730   -41.82786       sio2
35   -1000.34292   -59.71802           
36     185.13199   -23.38703       sio2
37     192.85517    37.83182           
38       0.00000   -39.77435                  開口絞り
39    -235.83972   -20.33655       sio2
40    -315.29313    -2.87277           
41    -195.62209   -58.03235       sio2
42     942.91191    -8.33243           
43    -278.04337   -21.50296       sio2
44    -572.88386    -1.01683           
45    -292.77418   -54.84288       sio2
46    1018.86198    -1.01683           
47    -507.84505   -20.00707       sio2
48   -2582.58474    -2.79080           
49    -249.45727   -23.09053       sio2
50    -604.76780    -1.01683           
51    -450.35036   -45.52619       sio2
52       0.00000    -1.19394       Water
非球面係数
i       K                A                   B               C
7   0.78454747   -1.25957857e-008   4.07416778e-014   1.60264482e-017 
10  -1.69530309   -1.16691839e-008   2.52376221e-013  -1.14340875e-017 
16  -1.69530309   -1.16691839e-008   2.52376221e-013  -1.14340875e-017 
19   0.78454747   -1.25957857e-008   4.07416778e-014   1.60264482e-017 
23   1.91351250   -9.28170033e-009   4.03659464e-014  -1.09106530e-018 
34  -0.35639497    1.37284322e-008   1.44579038e-013   1.11740815e-017 
40   1.12861801   -3.75383265e-008  -3.76644963e-013  -8.84893402e-018 
42  -0.87144860   -1.46351053e-008   5.28358771e-013  -3.55174719e-017 
47  -2.01574807    3.61452387e-008   5.16275766e-013  -5.59629177e-016 
51   0.25620569   -1.28187111e-007   1.11639829e-011   5.88022359e-015 
i           D                E                 F               G
7  -8.64081009e-022  2.39680139e-025  -1.80684184e-029  9.97335348e-034 
10   3.89781033e-022  8.43163310e-026  -8.08653944e-030  3.19305500e-034 
16   3.89781033e-022  8.43163310e-026  -8.08653944e-030  3.19305500e-034 
19  -8.64081009e-022  2.39680139e-025  -1.80684184e-029  9.97335348e-034 
23   1.57395693e-023 -6.98047575e-028   2.79305776e-032 -5.57070437e-037 
34   9.37934698e-023  7.62030685e-027   2.35260178e-032  1.15757755e-035 
40   5.33508782e-023  2.65574298e-026  -2.21137735e-030  1.37041063e-034 
42   1.34842682e-021 -5.75318986e-026   7.02828620e-031 -2.41667856e-035 
47   5.11980199e-020 -3.67799347e-024   2.24192126e-028 -7.90964159e-033 
51  -1.38085824e-018  5.33988181e-022  -8.31631159e-026  4.49781606e-030 
【手続補正５】
【補正対象書類名】明細書
【補正対象項目名】０１５４
【補正方法】変更
【補正の内容】
【０１５４】
（表５）
Ｌ＝１１６６．４２ｍｍ
β＝１／４
ＮＡ＝１．２０
｜β１／ＮＡＯ｜＝４．０１
｜β１・βｆ／ＮＡＯ｜＝１０．５１
｜β１｜＝１．２０３
ａ／ｂ＝０．１０４
ｂ／ｃ＝０．５７７
第１の物体〜第１面までの距離：２０．３７５９８ｍｍ
i          ri         di           硝材
1     203.00558     20.22118       sio2    
2     576.42020     14.80008           
3    -492.33864     57.61062       sio2
4    -526.89874    112.12301           
5     400.38641     33.18363       sio2
6     201.39136      2.79467           
7     177.53838     45.87089       sio2
8     202.59248     85.13856           
9    -160.17813     57.47088       sio2
10    -803.98029     21.47386           
11   -1171.17073     26.20406       sio2
12    -703.25100     44.88514           
13    -314.40159    -44.88514                  M1
14    -703.25100    -26.20406       sio2
15   -1171.17073    -21.47386           
16    -803.98029    -57.47088       sio2
17    -160.17813    -85.13856           
18     202.59248    -45.87089       sio2
19     177.53838     -2.79467           
20     201.39136    -33.18363       sio2
21     400.38641    -97.99940           
22       0.00000    365.16653                  FM1
23   -1280.64351     40.58289       sio2
24    -379.84384     11.58554        
25    1547.35845     39.14892       sio2
26   -1431.76874      1.00000           
27     574.67919     32.54781       sio2
28    1969.61290    250.00000           
29       0.00000   -180.80702                  FM2
30    -300.68406    -64.71536       sio2
31    -976.37471    -32.95024           
32     703.10781    -64.17712       sio2
33   -1053.02053    -53.71712           
34   -1997.89113    -17.93765       sio2
35    -237.29539    -16.96307           
36    -313.87481    -57.13426       sio2
37    -260.11951    -58.07893           
38    -600.89121    -48.56435       sio2
39     933.94372     -1.44638           
40    1985.09422    -36.16253       sio2
41     819.94206     -1.34286           
42    1225.43863    -30.25000       sio2
43     612.20246     -1.05175           
44    -367.67108    -30.25000       sio2
45    -453.12488    -11.50209           
46    -576.95966    -32.31916       sio2
47   -1332.57952    -14.20687           
48       0.00000      5.00000                  開口絞り
49    -430.84671    -53.36681       sio2
50   -2851.31825     -1.06630           
51    -236.30209    -69.58186       sio2
52    -852.44456     -7.43427           
53    -314.08005    -44.77623       sio2
54    -987.20660     -1.60092           
55    -132.17304    -44.26445       sio2
56    -369.26131     -1.00000           
57    -108.19410    -66.62369       sio2
58       0.00000     -0.99904       Water
非球面係数
i           K               A                B                C
7  -0.56708348     -1.31719659e-008  -1.38388173e-013  -2.47831946e-017 
10 -13.33200814     -9.98967074e-009  -6.02618482e-016  -9.03597109e-019 
16 -13.33200814     -9.98967074e-009  -6.02618482e-016  -9.03597109e-019 
19  -0.56708348     -1.31719659e-008  -1.38388173e-013  -2.47831946e-017 
33 -77.72620869     -2.03919978e-009   6.40857136e-014  -6.89800197e-018 
34  -2.83174721e+002 8.59748788e-009  -4.12255760e-013   7.77740998e-019 
38   0.93134956      7.07462568e-009   1.56091721e-013  -2.38211794e-018 
51  -0.16647817      1.74765770e-009  -1.90710275e-014   1.10302904e-018 
53   0.42251528     -1.33193559e-008   4.51898986e-013  -1.24500113e-017 
56  -4.33626161     -2.90218160e-008  -3.59874568e-012   2.53930041e-016 
i           D              E                 F                G
7 -5.00662897e-022  -4.72939474e-026  5.14339140e-030  -5.84124586e-034 
10 -5.31852156e-023  -6.85075303e-028  1.03915994e-031  -2.53424475e-036 
16 -5.31852156e-023  -6.85075303e-028  1.03915994e-031  -2.53424475e-036 
19 -5.00662897e-022  -4.72939474e-026  5.14339140e-030  -5.84124586e-034 
33  2.87151959e-022  -1.54013967e-026  4.08972948e-031  -4.56093909e-036 
34  1.09134502e-022  -1.56040402e-026  4.87756567e-031  -5.08642891e-036 
38  4.34686480e-023   4.31971356e-027 -1.83352981e-031   3.33797362e-036 
51  3.72407626e-023  -1.05704225e-027 -2.90604508e-032   7.35125593e-037 
53  1.91257401e-022  -8.53376614e-027  7.37781006e-031  -1.36248923e-035 
56 -2.38856441e-020   7.39620837e-025  3.38342785e-029  -4.02935536e-033